(57)【特許請求の範囲】
【請求項１】
文字盤と、
それぞれ所定の音色を発生する複数の棒鈴体と、前記棒鈴体に直角方向に実打ちする打鈴手段と、前記複数の棒鈴体のうち、少なくとも一の棒鈴体の一端部を保持し、かつ前記打鈴手段を保持する基体とを有する複数の発音装置と
を備え、
前記打鈴手段は、前記文字盤の背面側の中央部近傍に位置し、
前記基体は、当該文字盤の背面側の周縁部側に複数配置されるとともに、最上段の基体は、前記棒鈴体を打鈴する前記打鈴手段の作動方向の延長線上に指針の回転中心が存在するように配置され、次段の基体は、当該打鈴手段の作動方向の延長線上に存在するように、順次下方に配置され、
前記基体が保持する棒鈴体は、他端側が前記文字盤の下側に同一方向に延在するように配置され、
前記発音装置は前記文字盤の背面側に段階的に配置されている
時計装置。
【発明の詳細な説明】
【０００１】
【発明の属する技術分野】
本発明は、オルゴール、チャイム等に用いられ、発音体としての棒鈴体を実際に叩くことにより、所定の音色を発生させる発音装置およびそれを用いた時計装置に関する。
【０００２】
【従来の技術】
近年、実際の生演奏に極めて近い音色を再現し、臨場感や高級感のあふれる音色を得るために、電気的に音色を発生させる電子式発音装置に変わって、複数の発音体を実際に叩いて発音させ、所定の曲を演奏する発音装置が広く用いられる様になってきた。
【０００３】
発音体を実際に叩いて発音させる発音装置としては、例えば、実開平７−８８９７号公報に示されているように、異なる音階を得るために長さを各々変えた複数の棒鈴体を、ソレノイド型のハンマー機構を用いて発音させる発音装置が一般に知られている。このような発音装置は、１本の棒鈴体に対して１つのハンマー機構を有しており、各々のハンマー機構に所定の電源が印加された場合に、該当する棒鈴体が叩かれ、固有の音色が発音される構成となっている。
【０００４】
また上述した発音装置においては、棒鈴体の数を増やして棒鈴体の音域を拡張することにより、より現実味のある音色が得られ、また、臨場感や高級感をより一層引き立たせることができる。
【０００５】
【発明が解決しようとする課題】
しかしながら、上述した発音装置をオルゴールや時計装置に使用した場合、それらの装置の大きさは、使用場所や用途等に応じてあらかじめ決められているのが通常であり、棒鈴体の音域の幅を広げ、発音装置の音楽性を高めようとしても、おのずと限界が生じてしまうのが現状である。
【０００６】
複数の曲を奏でることができる発音装置の場合、棒鈴体の振動がある程度収束するまで再度同じ棒鈴体を叩くことができないため、連打の多い曲目は、当然ながら敬遠されることになる。したがって、曲目が大幅に制限されてしまうことになる。
【０００７】
また、発音装置にそれぞれ相違する曲を何曲も続けて演奏させる場合、各々の棒鈴体の振動が完全に収束しないうちに次の発音作業が行われるから、それぞれの曲に応じためりはりが損なわれ、次第に曲が類似してくるという問題も発生している。
【０００８】
したがって、所定の領域内に可能な限り、数多くの棒鈴体を集約することにより、小型、コンパクトでありながら、純正率の高いピュアな和音が得られ、数多くの曲目を高音質で演奏できる発音装置、あるいは、そのような発音装置を備えた時計装置の登場が待たれている。
【０００９】
本発明は、上述した事情に鑑みてなされたものであり、その目的は、小型、コンパクトでありながら、現実味のある音色を優れた臨場感や高級感とともに得られる発音装置を提供することにある。
【００１０】
【課題を解決するための手段】
上記目的を達成するために、本発明の発音装置は、それぞれ所定の音色を発生する複数の棒鈴体と、前記棒鈴体を実打ちする打鈴手段と、前記複数の棒鈴体のうち、少なくとも一の棒鈴体の一端部を保持する複数の基体とを有し、前記複数の基体は、保持する棒鈴体の他端側が同一方向に延在するように、所定の領域内で散点配置されている。
【００１１】
また本発明の発音装置は、好適には、前記打鈴手段が前記所定の領域内の中央部側近傍に位置し、前記複数の基体が当該領域内の周縁部側に位置するように配置されている。さらに好適には、それぞれ隣り合う少なくとも２つの保持体が一体形成されている。
【００１２】
本発明の時計装置は、文字盤と、それぞれ所定の音色を発生する複数の棒鈴体と、前記棒鈴体に直角方向に実打ちする打鈴手段と、前記複数の棒鈴体のうち、少なくとも一の棒鈴体の一端部を保持し、かつ前記打鈴手段を保持する基体とを有する複数の発音装置とを備え、前記打鈴手段は、前記文字盤の背面側の中央部近傍に位置し、前記基体は、当該文字盤の背面側の周縁部側に複数配置されるとともに、最上段の基体は、前記棒鈴体を打鈴する前記打鈴手段の作動方向の延長線上に指針の回転中心が存在するように配置され、次段の基体は、当該打鈴手段の作動方向の延長線上に存在するように、順次下方に配置され、前記基体が保持する棒鈴体は、他端側が前記文字盤の下側に同一方向に延在するように配置され、前記発音装置は前記文字盤の背面側に段階的に配置されている。
【００１３】
本発明の発音装置によれば、複数の棒鈴体のうち、少なくとも一の棒鈴体の一端部を保持し、保持する棒鈴体の他端側が同一方向に延在するように配置されている複数の基体が、所定の領域内で散点配置されている。
また本発明の発音装置によれば、所定の領域内の中央部側近傍には、打鈴手段が配置され、その所定領域内の周縁部側には、複数の基体が配置されている。
これにより、複数の基体および打鈴手段が、所定の領域内に、互いに干渉すること無く配置されるから、所定の領域内に数多くの棒鈴体を設けることが可能となる。
その結果、発音装置が小型化されるとともに音域が拡大され、高級感や臨場感があり、現実味のある音色が得られる。
【００１４】
本発明の時計装置によれば、発音装置における複数の棒鈴体のうち、少なくとも一の棒鈴体の一端部を保持し、保持する棒鈴体の他端側が同一方向に延在するように配置されている複数の基体が、文字盤の背面側に散点配置されている。
また本発明の時計装置によれば、文字盤の背面側の、例えば、筐体裏面部内壁の中央部側近傍には、打鈴手段が配置され、その文字盤の背面側の筐体裏面部内壁の周縁部側には、複数の基体が配置されている。
これにより、複数の基体および打鈴手段が、文字盤背面の筐体裏面部に、互いに干渉すること無く配置されるから、文字盤背面部に数多くの棒鈴体を設けることが可能となる。
【００１５】
時計装置が所定の正時、例えば、１２時となり、制御回路から正時信号が出力されると、複数の棒鈴体にそれぞれ対応して設けられた打鈴手段に電流が供給され、棒鈴体が打鈴される。上述した制御回路には予め複数の曲目が記憶されており、選択された曲目に応じて、複数の棒鈴体が所定の順番で打鈴される。
本時計装置では、棒鈴体の数をより多く設けることができるから、上述した基体および打鈴手段の配置による時計装置の小型化のみならず、音域を拡大することができ、高級感や臨場感が溢れた、現実味のある音色を得ることが可能となる。
【００１６】
【発明の実施の形態】
［第１の実施の形態］
以下、本発明の一実施の形態について図面に基づいて説明する。
図１は、本発明に係る発音装置を用いた実打ち式時計装置の一実施の形態を示す側面図であり、図２は、図１に示す実打ち式時計装置を正面からみたときの発音装置の状態を説明するための図である。
【００１７】
図１において、実打ち式時計装置１は、筐体２の内部に一体に装着された時計装置３と、発音装置４とで構成されている。
筐体２は、筐体表面部２１と、筐体表面部２１にネジ止めされている筐体裏面部２２とで構成されている。なお、本実打ち式時計装置１では、筐体裏面部２２は、発音装置４にて発生した音と共鳴することにより外部に音を伝達する共鳴板の役割をする。
【００１８】
筐体表面部２１には、図１に示すように、表示時刻が外部から認識できるように、後述する時計装置３の文字盤３１の正面側に透明部２１ａがはめ込まれている。また、時計装置３の振り子３５や後述する発音装置４の棒鈴体４１を外部に認識させて実打ち式時計装置１の装飾性を高めるため、振り子３５の正面側に透明部２１ｂがはめ込まれている。
【００１９】
時計装置３は、筐体２内部に固定された文字盤３１と、文字盤３１の裏面に密着して設けられ、所定の基準パルス信号に基づいて、図示しないステッピングモータを駆動して分針３２および時針３３を作動させるムーブメント３４と、ムーブメント３４の下部に設けられたフック３４ａに引っ掛けられ、図示しない電磁石と永久磁石との作用、反作用によって作動する振り子３５とで構成されている。なお、振り子３５は、フック３４ａに対して、必要に応じて脱着可能な構成となっている。
【００２０】
発音装置４は、それぞれ所定の音階を有し、固有の音色を発生する棒鈴体４１と、棒鈴体４１を打鈴して棒鈴体４１に固有の音色を発音させるハンマー装置４２と、複数の棒鈴体４１の一端を保持し、ハンマー装置４２を支持する基体４４とで構成されている。
【００２１】
棒鈴体４１は、例えば、鉄またはリン青銅等からなり、一側の端部から他端側部まで均一な肉厚をした中実丸軸状をしており、棒鈴体４１を所定の長さに切断することによって、その長さに応じた固有の音色が発生できる構成となっている。なお、音の高低や音質等は、棒鈴体４１の材質や直径、肉厚等を変更することによって調整することができる。
【００２２】
棒鈴体４１ａ〜４１ｄに関して言えば、図１に示すように、棒鈴体４１の長さが棒鈴体４１ａから棒鈴体４１ｂ、棒鈴体４１ｃ、棒鈴体４１ｄへと所定の長さ毎に少しずつ長くなっている。このような場合、棒鈴体４１ａの音は他の棒鈴体４１ｂ〜４１ｄよりも高音を発生し、棒鈴体４１が長くなるにしたがって音が低音化され、棒鈴体４１ｄが他の棒鈴体４１ｂ〜４１ｃに比べて最も低音を発生させることになる。
【００２３】
ハンマー装置４２は、図２に示すように、棒鈴体４１の長手方向に対して、直交する方向に移動する磁性体からなるハンマーヘッド４２ａと、ハンマーヘッド４２ａを取り囲むように配置され、所定の電流が供給された場合に磁界を発生させ、ハンマーヘッド４２ａを駆動して棒鈴体４１に衝突させるソレノイドコイル４２ｂとを有している。
ハンマー装置４２は、後述する基体４４の基台部４４ｂ上に載置され、図２に示すように、棒鈴体４１と干渉しない位置で基体４４の保持部４４ａにネジ止めされている。
【００２４】
図２に示すように、本実施の形態では、４式の発音装置４が筐体裏面部２２の内壁に固定され、またそれぞれ４本の棒鈴体４１を保持しているから、合計１６本の棒鈴体４１が使用されていることになる。したがって、それぞれの棒鈴体４１を実打ちするハンマー装置４２についても、それぞれの棒鈴体４１に対応して１６個のハンマー装置４２が、ハンマーヘッド４２ａを棒鈴体４１に直交方向から衝突できるように設置されている。
【００２５】
なお、実打ち式時計装置１には、上述したように、１６本の棒鈴体４１を有しているから、「ド音」、「レ音」、「ミ音」、「ファ音」、「ソ音」、「ラ音」、「シ音」、「ド音」の８音階、即ち、１オクターブ分の音域を、さらにもう１オクターブ分拡張することが可能となる。したがって、より音楽性が高い、ユーザーを満足させるに十分な臨場感および高級感が得られることになる。
【００２６】
基体４４は、鉛等からなり、棒鈴体４１を保持する保持部４４ａと、ハンマー装置４２を支持する基台部４４ｂとを有し、それらはＬ字状に一体形成されている。
基体４４の保持部４４ａは、棒鈴体４１が打鈴された時の棒鈴体４１の振動を過度に抑え込まないように、また、棒鈴体４１が過度に振動しないように保持する構成となっている。なお、棒鈴体４１は、図２に示すように、基体４４に対してネジ４６にて固定されている。
これにより、棒鈴体４１ａ〜４１ｄは、それぞれ後述する基体４４に一端部が保持され、棒鈴体４１ａ〜４１ｄの他端部側は、文字盤３１の下側に向かって延在することになる。
【００２７】
基台部４４ｂは、既に述べたようにハンマー装置４２を支持し、さらに、筐体裏面部２２の内壁に対してわずかな隙間ができるように位置決めして保持部４４ａの下面に固定する構成となっている。なお、ハンマー装置４２は、図１からわかるように、筐体裏面部２２の内壁と接触しないように、基台部４４ｂにより保持部４４ａに位置決めされている。
【００２８】
このように、棒鈴体４１を保持する保持部４４ａにハンマー装置４２を基台部４４ｂにより、筐体裏面部２２と接触しないように配置することにより、ハンマー装置４２のストローク量の誤差やハンマーヘッド４２ａの棒鈴体４１との衝突角度の誤差による音量若しくは音質の相違が除去され、安定した音色を奏でることが可能となる。
また、筐体裏面部２２の内壁とハンマー装置４２とが接触しないため、ハンマー装置４２が棒鈴体４１を打鈴したときに発生する振動と筐体裏面部２２の共鳴動作とが互いに打ち消しあうことがなくなり、棒鈴体４１の独特の音色が十分に発揮されることになる。
【００２９】
本実施の形態では、図２に示すように、ハンマー装置４２が文字盤３１の背面部側の中央部近傍に寄せて配置され、一方、基体４４の保持部４４ａが文字盤３１の背面部側の周縁部方向に拡大した状態で配置されている。
筐体裏面部２２の内壁に固定された４個の発音装置４のうち、最上段の発音装置４は、ハンマー装置４２のハンマーヘッド４２ａの作動方向の延長線上に分針３２および時針３３の回転中心が存在するように配置され、さらにその延長線上に２段目の発音装置４の保持部４４ａが存在するように配置されている。
【００３０】
また２段目の発音装置４のハンマー装置４２の作動方向の延長線上には、３段目の発音装置４のハンマー装置４２の保持部４４ａが存在し、同様に、３段目の発音装置４のハンマー装置４２の作動方向の延長線上には、最下段の発音装置４のハンマー装置４２の保持部４４ａが存在するように配置されている。
【００３１】
さらに、棒鈴体４１が同一方向に保持されたハンマー装置においては、例えば、最上段のハンマー装置４２の棒鈴体４１と３段目のハンマー装置４２の保持部４４ａの外側端部との間に、所定の隙間を設けた状態で配置されている。さらに多くのハンマー装置４２を配置する場合には、上述した所定の隙間を設けて配置すれば、少ない領域に多くの発音装置４を設置可能となる。
【００３２】
なお、それぞれの発音装置４の棒鈴体４１の他端部は、すべて文字盤３１の下側方向の同一方向に向いた状態で、互いに干渉することなく、延在するように配置されている。
上述した配置により、文字盤３１の背面側に棒鈴体４１が高密度に集約され、少ないスペースで多くの棒鈴体４１を設けることが可能となる。
【００３３】
次に、実打ち時計装置１が所定の時刻になった場合、つまり、正時信号が図示しない制御装置に入力された場合の発音装置４の動作について図１および図２に基づいて説明する。
正時信号が図示しない制御装置に入力されると、制御装置は、あらかじめ選択された曲目に応じて、該当するハンマー装置４２のソレノイドコイル４２ｂに所定の電流を印加させる。ソレノイドコイル４２ｂに電流が供給されると、ソレノイドコイル４２ｂ周辺に磁界が発生し、この発生した磁界によってハンマーヘッド４２ａが棒鈴体４１に直交する方向に駆動される。
【００３４】
駆動されたハンマーヘッド４２ａは、棒鈴体４１に衝突することにより棒鈴体４１を打鈴し、棒鈴体４１に固有の音色を発生させる。このとき、棒鈴体４１の振動は、基体４４によって最適に吸収されるから、残音が極度に長引いたり、音色が単調化されることがなくなる。上述する動作を繰り返して曲目に応じた棒鈴体４１を打鈴することにより、所定の曲が演奏されることになる。なお、各々の棒鈴体４１から発生した音色は、筐体２内部で共鳴を繰り返し、適度な反響音を伴って外部に伝達される。
【００３５】
［第２の実施の形態］
続いて第２の実施の形態について説明する。なお、図３は、保持体を一体形成した発音装置を使用した実打ち式時計装置の正面図である。
本実施の形態の実打ち式時計装置１０においては、図３に示すように、発音装置４の基体４７の保持部４７ａが、筐体裏面部２２の同一の周縁部側方向に寄せた状態で配置されている発音装置４どうしで、一体形成された構成となっている。よって、本実施の形態の保持部４７ａには、８本の棒鈴体４１を保持することができる構成となっている。
【００３６】
また基台部４７ｂについては、図３に示すように、一体形成はされていないが、互いに保持体４７に共通の基台部４７ｂとして構成されている。なお、基台部４７ｂには、最上段に位置するハンマー装置４２の打鈴動作時に、ハンマーヘッド４２ａと干渉しないように、図示しない孔部が形成されている。
【００３７】
上述したように、本実施の形態の発音装置４は、より一層長い棒鈴体４１を支持することが可能となり、低音領域をより拡大した発音装置４を得ることができる。
なお、本実施の形態のその他の部分の構成は、既に説明した第１の実施の形態と同一であり、また、動作についても同一であるため、重複した説明は行わない。
【００３８】
以上説明した各実施の形態では、１６本の棒鈴体４１が設けられているが、筐体２の大きさや発音装置４の設置スペースをさらに大きく取ることができ、また、ハンマー装置４２を設置するスペースをも設けることができるならば、棒鈴体４１の数をさらに増やしてもよい。棒鈴体４１の本数を増やせば、さらに音域が拡張されることになる。
【００３９】
また各実施の形態では、棒鈴体４１のそれぞれにハンマー装置４２を設ける構成となっているが、振り子３５の背面側に少なくとも１つの装飾体を設けて、その装飾体により棒鈴体４１の打鈴を行わせるようにしてもよい。なお、装飾体による打鈴時に振り子３５が収納される構成にすれば、コンパクトでありながら、一層の装飾的効果を高めることが可能となる。
【００４０】
以上説明したように、各実施の形態の実打ち式時計装置１によれば、文字盤３１の背面側に各々の発音装置４の棒鈴体４１が、文字盤３１の下側に向かって延在配置され、筐体表面部２１から筐体裏面部２２の方向へ互いに平行に配列されている。また、ハンマー装置４２は、文字盤３１の背面部側の中央部近傍に寄せて配置されており、基体４４，４７の保持部４４ａ，４７ａは、文字盤３１の背面部側の周縁部方向に広げた状態で配置されている。
これにより、文字盤３１の背面部の小さな領域内に数多くの棒鈴体４１が集約されることになる。その結果、小型でコンパクトでありながら、高い音楽性を有する実打ち式時計装置１が実現される。
【００４１】
また第２の実施の形態の実打ち式時計装置１によれば、基体４７の保持部４７ａが、それぞれとなりあう発音装置４どうしで一体形成されているので、より長い棒鈴体４１を保持可能となり、音域をより拡大させた実打ち式時計装置１を得ることが可能となる。
【００４２】
【発明の効果】
本発明の発音装置によれば、少ない領域内に数多くの棒鈴体を配置することが可能となる。これにより、小型でコンパクトであるにも関わらず、棒鈴体の数が増えるから、音域の幅が一層拡大され、純正率の高いピュアな和音を得ることが可能となる。その結果、臨場感に溢れ、より高級感のある演奏を楽しむことができる。
【００４３】
本発明の時計装置によれば、上述した発音装置が使用されているから、時計装置を小型化できるばかりでなく、あらゆるジャンルにわたる曲目を演奏でき、またメリハリの効いた演奏を行うことができる時計装置を提供することが可能となる。
【図面の簡単な説明】
【図１】本発明に係る発音装置を用いた実打ち式時計装置の一実施の形態を示す側面図である。
【図２】図１に示す実打ち式時計装置を正面からみたときの発音装置の状態を説明するための図である。
【図３】保持体を一体形成した発音装置を使用した実打ち式時計装置の正面図である。
【符号の説明】
１，１０…実打ち式時計装置
２…筐体
３…時計装置
４…発音装置
２１…筐体表面部
２２…筐体裏面部
３１…文字盤
３２…分針
３３…時針
３４…ムーブメント
３５…振り子
４１…棒鈴体
４２…ハンマー装置
４４，４７…基体
４４ａ，４７ａ…保持部
４４ｂ，４７ｂ…基台部
４６…ネジ
【図１】
0003621242.tif 000002
【図２】
0003621242.tif 000003
【図３】
0003621242.tif 000004